(57)【要約】【課題】全番組録画機能用として使用されているICカードの受信契約に必要な識別情報をユーザが容易に確認することができる番組録画装置及び受信契約用識別情報表示方法を提供する。【解決手段】番組録画装置１は、視聴若しくは録画のための電子番組表EPGを表示する電子番組表表示部と、設定された１又は２以上のチャンネルの番組の全てを録画する全番組録画機能により録画された番組の過去番組表RLを表示する録画リスト表示部と、番組を受信するための契約に必要な情報を記憶する複数のICカードCと、過去番組表RL中で選択されている番組を受信するための使用されている複数のICカードCに記憶された、選択されている番組についての契約に必要な識別情報を表示する情報表示部と、を有する。【選択図】図２
2014220691.tif 000002
【特許請求の範囲】
【請求項１】
視聴若しくは録画のための電子番組表を表示する電子番組表表示部と、
設定された１又は２以上のチャンネルの番組の全てを録画する全番組録画機能により録画された番組の録画リストを表示する録画リスト表示部と、
番組を受信するための契約に必要な情報を記憶する記憶部と、
前記録画リスト中で選択されている番組を受信するための使用されている前記記憶部に記憶された、前記選択されている番組についての前記契約に必要な情報を表示する情報表示部と、
を有する番組録画装置。
【請求項２】
前記記憶部は、前記全番組録画機能により録画される番組の受信のための前記契約に必要な情報としての第１の情報を記憶する第１の記憶媒体と、前記電子番組表に表示される番組の受信のための第２の情報を記憶する第２の記憶媒体と、を有する請求項１に記載の番組録画装置。
【請求項３】
前記第２の情報は、前記全番組録画機能により録画される番組の受信のための前記契約に必要な情報としても使用可能である請求項１又は２に記載の番組録画装置。
【請求項４】
前記情報表示部は、所定の表示指示入力に応じて、前記選択されている番組についての前記契約に必要な情報を表示する請求項１から３のいずれか１つに記載の番組録画装置。
【請求項５】
前記情報表示部は、前記録画リスト中の番組選択状態に応じて、前記選択されている番組についての前記契約に必要な情報を表示する請求項１から３のいずれか１つに記載の番組録画装置。
【請求項６】
前記録画リスト表示部は、前記録画リストにおいて、各番組の受信のために使用されている記憶媒体毎に割り当てられた色を付加して、前記各番組あるいは前記各番組のチャンネルを表示する請求項２に記載の番組録画装置。
【請求項７】
前記全番組録画機能により録画する番組のチャンネルを設定する全番組録画機能設定画面において、チャンネル毎に、前記割り当てられた色を表示する第１の色表示部を表示するための出力を行う第１色表示部出力部を有する請求項６に記載の番組録画装置。
【請求項８】
各記憶媒体の動作を確認するための動作状態確認画面において、前記各記憶媒体に前記割り当てられた色を表示する第２の色表示部を表示するための出力を行う第２色表示部出力部を有する請求項６又は７に記載の番組録画装置。
【請求項９】
デジタル放送受信装置における、番組を受信するための契約に必要な受信契約用識別情報を表示する方法であって、
設定された１又は２以上のチャンネルの番組の全てを録画する全番組録画機能により録画された番組の録画リストを表示し、
記憶部に記憶された、前記録画リスト中で選択されている番組を受信するための使用されている前記選択されている番組についての前記受信契約用識別情報を表示する、
を有する受信契約用識別情報の表示方法。
【発明の詳細な説明】
【技術分野】
【０００１】
本発明の実施形態は、番組録画装置及び受信契約用識別情報の表示方法に関する。
【背景技術】
【０００２】
近年、デジタル放送を受信して、番組を視聴あるいは録画するテレビジョン受像機、番組録画装置（例えばハードディスクレコーダ）等のデジタル放送受信装置が広く普及している。  
デジタル放送サービスの中には、無料で番組を視聴できるサービスもあるが、番組を提供する放送事業者との間で契約を行った視聴者のみがその番組を視聴することができる有料放送サービスもある。
【０００３】
有料放送を視聴したい者は、有料放送の番組を提供する放送事業者へ、有料放送の受信契約のために必要な情報として、デジタル放送受信装置に装着されたICカードの識別情報を通知して契約を結ぶ必要がある。  
ICカードは、有料放送の番組の視聴に必要な契約のための識別情報やスクランブル鍵の情報を管理するためのカードであり、ICカードの識別情報は、ICカード自体に印刷されている。よって、有料放送の番組の視聴契約を結ぼうとする者は、ICカードをデジタル放送受信装置から抜き取り、ICカードの表面に印字されている識別情報を、放送事業者へ通知する。
【０００４】
あるいは、そのような契約を結ぼうとする者は、デジタル放送受信装置の所定のメニュー画像を表示させて所定の操作を行うことにより、表示装置の画面上にICカードの識別情報を表示させ、放送事業者へ通知する。
【０００５】
また、最近は、デジタル放送を受信して、設定されたチャンネルの全番組を自動的に録画する全番組録画機能を有するテレビジョン受像機及び番組録画装置も普及しつつある。例えば、予め設定された複数のチャンネルの全番組を自動的に常時録画し、記憶装置の容量の許す所定の時間分（例えば１５日分）だけ、過去に戻って再生すなわちタイムシフト再生できる全番組録画機能を有するテレビジョン受像機及び番組録画装置がある。
【０００６】
このような全番組録画機能を有するデジタル放送受信装置においても、有料放送の全番組を録画するためには、そのデジタル放送受信装置のユーザは、上述したICカードの識別情報を、放送事業者に通知して、受信契約を結ばなければならない。
【０００７】
しかし、一台のデジタル放送受信装置に複数のICカードが装着される場合、ユーザは、どのICカードが、全番組録画用として契約に使用すべきあるいは使用したカードであるのか、を確認するためには、契約時に使用したICカードをデジタル放送受信装置から抜き取ってICカードに印字された識別情報を確認する、あるいは、上述したように所定のメニュー画面を表示させて所定の操作を行うことによって表示装置の画面上にICカードの識別情報を表示させて確認する、といった煩雑な作業あるいは操作が必要となる。
【先行技術文献】
【特許文献】
【０００８】
【特許文献１】特開２００１−１４５０７６号公報
【特許文献２】特開２００５−１２３８７７号公報
【発明の概要】
【発明が解決しようとする課題】
【０００９】
そこで、本実施形態は、全番組録画機能用として使用されているICカードの受信契約に必要な識別情報をユーザが容易に確認することができる番組録画装置及び受信契約用識別情報表示方法を提供することを目的とする。
【課題を解決するための手段】
【００１０】
実施形態の番組録画装置は、視聴若しくは録画のための電子番組表を表示する電子番組表表示部と、設定された１又は２以上のチャンネルの番組の全てを録画する全番組録画機能により録画された番組の録画リストを表示する録画リスト表示部と、番組を受信するための契約に必要な情報を記憶する記憶部と、前記録画リスト中で選択されている番組を受信するための使用されている前記記憶部に記憶された、前記選択されている番組についての前記契約に必要な情報を表示する情報表示部と、を有する。
【図面の簡単な説明】
【００１１】
【図１】本実施形態に係わる番組録画装置の構成を示すブロック図である。
【図２】実施形態に係わる番組録画装置１の外観図である。
【図３】実施形態に係わる、番組録画装置１に装着されたICカードCの識別情報を表示する処理の流れの例を示すフローチャートである。
【図４】実施形態に係わる過去番組表RLの表示例を示す図である。
【図５】実施形態に係わる電子番組表EPGの表示例を示す図である。
【図６】実施形態に係わる、過去番組表RL におけるICカードCの識別情報の表示例を示す図である。
【図７】変形例に係わる、選択された番組の欄の中にICカードCの識別情報を表示する過去番組表RLの表示例を示す図である。
【図８】他の変形例に係わる、選択された番組を受信するためICカードCの識別情報を、別のウインドウ中に表示する表示例を示す図である。
【図９】図７及び図８の表示例に関わる、番組録画装置１に装着されたICカードCの識別情報を表示する処理の流れの例を示すフローチャートである。
【図１０】実施形態に係わる過去番組表RLの表示例の変形例を示す図である。
【図１１】実施形態に係わる、ICカードCの動作状態を確認するための画面の表示例である。
【図１２】実施形態に係わる、全番組録画機能設定画面の表示例である。
【発明を実施するための形態】
【００１２】
以下、図面を参照して実施形態を説明する。
【００１３】
（構成）
図１は、本実施形態に係わる番組録画装置の構成を示すブロック図である。番組録画装置１は、制御部１１と、チューナ１２と、画像処理部１３と、複数（ここでは３つ）のカードインターフェース部（以下、I/Fという）１４ａ、１４ｂ、１４ｃと、記憶装置１５と、ディスクドライブ装置１６と、リモコン受信部１７とを含んで構成されている。番組録画装置１は、デジタル放送受信装置であり、本実施の形態では、番組を録画する機能を有するハードディスクレコーダである。なお、本実施形態では、番組録画装置１は、ディスクドライブ装置１６を有しているが、ディスクドライブ装置１６を有していなくてもよい。
【００１４】
よって、番組録画装置１は、テレビジョン受像機（以下、テレビという）等に接続され、テレビ等の表示画面上に、受信している放送の番組を表示し、かつ番組を録画し、さらに録画した番組を再生して表示することができる。
【００１５】
さらに、番組録画装置１は、番組の視聴及び録画の機能に加えて、過去の所定期間（例えば過去１５日間）だけ、設定された１又は２以上のチャンネルの番組の全てを自動的に録画する全番組録画機能を有する。
【００１６】
よって、ユーザは、番組録画装置１により、現在放送されている番組のリアルタイムの視聴、現在あるいは将来放送される番組の録画予約、及び全番組録画機能による録画及びその録画された過去の番組のタイムシフト再生をすることができる。
【００１７】
制御部１１は、番組録画装置１の全体の動作を制御するための処理部であり、中央処理装置（CPU）、ROM、RAM、フラッシュメモリ等を含んで構成される。制御部１１は、CPUがROM等に記憶されている所定のプログラムを読み出して実行することにより、後述する受信契約に関する情報を表示する機能を含む種々の機能を実現する。
【００１８】
チューナ１２は、図示しないアンテナ等に接続されており、放送事業者からのデジタル放送信号を受信し、受信された複数のRFチャネルのデジタル放送信号より所定のRFチャネルの放送信号を選択し、そのRFチャネルの放送信号に対応したMPEG２（Moving Picture Experts Group 2）トランスポート・ストリームを生成する回路である。
【００１９】
画像処理部１３は、デスクランブル部、デマルチプレクス部、MPEGデコード部、音声信号処理部、等々を含み、受信した放送信号をデコードして、映像信号と音声信号の出力信号OUTを生成する処理部である。画像処理部１３において生成された出力信号OUTは、テレビに出力される。
【００２０】
３つのI/F１４a、１４ｂ、１４ｃ（以下、３つのI/Fを纏めて指すとき、あるいは任意の１つのI/Fを指すときは、I/F１４という）は、３枚のICカードC1、C2、C3（以下、３枚のICカードを纏めて指すとき、あるいは任意の１枚のICカードを指すときは、ICカードCという）を装着可能で、制御部１１が、各ICカードCに記憶された情報を読み出し、装着された各ICカードへ情報を書き込むためのインターフェース装置である。各I/F１４は、ICカードCを装着するためのカードスロットを有する。各ICカードCには、有料放送の番組の視聴に必要な契約のための情報が記憶されている。
【００２１】
記憶装置１５は、大容量のハードディスク装置（HDD）である。記憶装置１５には、ユーザの録画予約により録画された番組、及び全番組録画機能により録画された番組が、記憶される。
【００２２】
ディスクドライブ装置１６は、ディスク（例えばDVD、ブルーレイ・ディスク）を搭載するための装置であり、ディスクに記録されたコンテンツを再生し、及びディスクにコンテンツを記録するための駆動装置である。
【００２３】
リモコン受信部１７は、ユーザが操作するリモコン（図示せず）からの操作信号OCを受信する回路である。リモコン受信部１７は、例えば、赤外線の操作信号OCを受光して、電気信号に変換して制御部１１へ出力する。
【００２４】
ユーザは、リモコンを操作することにより、番組のリアルタイム視聴、録画予約、タイムシフト再生、番組表表示、各種設定、等々の指示を、番組録画装置１へ与えることができる。
【００２５】
図２は、番組録画装置１の外観図である。番組録画装置１の前面パネル２１の下部には、カバー２２が開閉可能に設けられており、図２は、カバー２２が開けられた状態を示す。ユーザがカバー２２を開けてICカードCを装着することができるように、前面パネル２１には、３つのカードスロット２３ａ、２３ｂ、２３ｃ（以下、３つのカードスロットを纏めて指すとき、あるいは任意の１つのカードスロットを指すときは、カードスロット２３という）が配置されている。３つのカードスロット２３は、それぞれ３つのI/F１４a、１４ｂ、１４ｃのカードスロットに対応する。
【００２６】
なお、前面パネル２１には、USB端子部２４、及びSDカードスロット２５も設けられている。
【００２７】
さらに、前面パネル２１には、ディスクドライブ装置１６のためディスクトレイ部２６も設けられており、ユーザは、開閉ボタン２７を操作することにより、二点鎖線A1で示す方向に沿って、ディスクトレイ部２６を前面パネル２１から飛び出させたり、前面パネル２１の内部へ収容させたり、することができる。
【００２８】
カードスロット２３ａは、ＢＳ・ＣＳ．地デジ共用のICカードC1を装着するためのスロットである。カードスロット２３ｂは、地デジ専用のICカードC2を装着するためのスロットである。カードスロット２３ｃは、ＢＳ・ＣＳ．地デジ共用のICカードC3を装着するためのスロットである。
【００２９】
番組録画装置１は、上述したように、番組の視聴機能、番組の録画予約機能、及び全番組録画機能の３つの機能を有する。本実施の形態では、ICカードC1は、視聴機能用、録画予約機能用、及び全番組録画機能用のカードとして利用され、ICカードC2とC3は、全番組録画機能専用のカードとして利用されるものとして説明する。
【００３０】
よって、３枚のICカードCは、番組を受信するための契約に必要な情報を記憶する記憶部を構成する。その記憶部は、全番組録画機能により録画される番組の受信のための契約に必要な情報としての識別情報を記憶する記憶媒体としてのICカードC2,C3と、後述する電子番組表EPGに表示される番組の受信のための識別情報を記憶する記憶媒体としてのICカードC1と、を有する。そして、ICカードC1に記憶された識別情報は、全番組録画機能により録画される番組の受信のための契約に必要な情報としても使用可能である。各ICカードCの識別情報は、受信契約用識別情報である。
【００３１】
本実施形態の番組録画装置１では、全番組録画機能は、例えば最大８チャンネルについて設定可能であり、ICカードC2とC3は、全番組録画機能のために最大３チャンネルまで設定すなわち使用可能なCAS（Conditional Access System）カードとminiCASカードであり、ICカードC1は、全番組録画機能のために最大２チャンネルまで設定すなわち使用可能なCASカードである。言い換えると、ICカードC2とC3は、全番組録画機能の専用カードであり、ICカードC1は、全番組録画機能の増設チャンネル用のカードとして使用可能となっている。
【００３２】
番組録画装置１は、番組の視聴及び番組の録画予約のために、電子番組表EPGを表示することができる。ユーザは、図示しないリモコンに対して所定の操作を行うことによって、電子番組表EPGを、テレビの表示画面上に表示させることができる。
【００３３】
さらに、番組録画装置１は、全番組録画機能により録画された番組の録画リストである過去番組表RLを表示することができる。ユーザは、図示しないリモコンに対して所定の操作を行うことによって、過去番組表RLを、テレビの表示画面上に表示させ、所望の番組のタイムシフト再生をすることができる。
【００３４】
（作用）
次に、番組録画装置１における、有料放送の受信契約のための情報の表示方法について説明する。有料放送を視聴したい者は、有料放送の番組を提供する放送事業者へ、デジタル放送受信装置に装着されたICカードCの識別情報を通知して契約を結ぶ。すなわち、ここでは、ICカードCの識別情報は、カードIDであり、受信契約に必要な情報である。
【００３５】
図３は、番組録画装置１に装着されたICカードCの識別情報を表示する処理の流れの例を示すフローチャートである。図３の処理は、制御部１１のCPUが、ROMに記憶された所定のプログラムを読み出して実行することによって、行われる。
【００３６】
ユーザが図示しないリモコンに対して所定の操作を行うことによって、電子番組表EPG又は過去番組表RLを、テレビの表示画面上に表示させる指示を、番組録画装置１に対して行うと、制御部１１は、図３の処理を実行する。
【００３７】
制御部１１は、表示指示された番組表が過去番組表RLであるか否かを判定する（S1）。この判定は、リモコンからの操作信号OCに基づいて行うことができる。
【００３８】
表示指示された番組表が過去番組表RLである場合（S1:YES）、制御部１１は、過去番組表RLを、テレビの画面上に表示する処理を実行する（S2）。過去番組表RLは、全番組録画機能により録画された番組の録画リストである。よって、S2の処理は、全番組録画機能により録画された番組の録画リストRLを表示する録画リスト表示部を構成する。
【００３９】
表示指示された番組表が過去番組表RLでない場合（S1:NO）、制御部１１は、電子番組表EPGを、テレビの画面上に表示する処理を実行する（S3）。電子番組表EPGは、番組の視聴及び番組の録画予約のために番組表である。よって、S3の処理は、視聴若しくは録画のための電子番組表EPGを表示する電子番組表表示部を構成する。
【００４０】
図４は、過去番組表RLの表示例を示す図である。過去番組表RLは、横軸が、全番組録画機能の対象チャンネルであり、縦軸が、録画時刻である。横軸に沿って表示されたチャンネルは、全番組録画機能の対象チャンネルとして設定されたチャンネルである。
【００４１】
例えば、図４の左側の３つの地デジのチャンネルが、全番組録画機能専用のICカードC2を使用して受信契約がされているチャンネルであり、中央の２つのBSのチャンネルが、全番組録画機能専用のICカードC3を使用して受信契約がされているチャンネルであり、右側の１つのBSのチャンネルが、全番組録画機能用にも使用できるICカードC1を使用して受信契約がされているチャンネルである。
【００４２】
図４に示すように、過去番組表RLは、表示している番組表がタイムシフト再生用の番組表であることを示す番組表種別表示部３１と、画面上に表示されている録画された番組の時間帯の属する日付を示す日付表示部３２と、番組名等を表示する番組欄表示部３３と、コマンド表示部３４を含む。
【００４３】
番組表種別表示部３１は、表示されている番組表が全番組録画機能により録画された番組のタイムシフト再生用リストであることを示す「過去番組表」の文字を含んでいる。
【００４４】
日付表示部３２は、番組欄表示部３３に表示されている各番組が録画された日付を示す文字を含んでいる。
【００４５】
番組欄表示部３３は、縦軸の時間経過に沿って、チャンネル毎に番組名を含む番組欄を表示する。図４の場合、６つのチャンネルの、日付表示部３２に表示された日付の午後４時から７時迄に録画された複数の番組名、番組詳細内容などが、番組欄表示部３３の番組毎に表示されている。
【００４６】
コマンド表示部３４は、続き再生のためのリモコン上のボタンの機能を示すボタン機能指示部３４ａ、チャンネル毎の番組名表示ためのリモコン上のボタンの機能を示すボタン機能指示部３４ｂ、ICカードCの識別情報であるカードIDの画面表示指示のためのリモコン上のボタンの機能を示すボタン機能指示部３４ｃ、ページ切換指示のためのリモコン上のボタンの機能を示すボタン機能指示部３４ｄ、及びサブメニュー表示指示のためのリモコン上のボタンの機能を示すボタン機能指示部３４ｅを含んでいる。例えば、ボタン機能指示部３４ａは、リモコンの「緑」ボタンが「続き再生」の機能の実行を指示するためのボタンであることを示し、同様に、ボタン機能指示部３４ｃは、リモコンの「画面表示」ボタンが「カードIDを表示する」機能の実行を指示するためのボタンであることを示している。ユーザが、各ボタン機能指示部に示されたリモコン上のボタンを押すと、対応する機能が実行される。
【００４７】
因みに、有料放送サービスにおいて、一定期間だけ無料で番組を受信できる期間を提供するサービスが設けられる場合がある。その場合、受信契約をしていなくても、番組記録装置１において全番組録画機能の録画対象チャンネルに設定することができる。しかし、その無料の期間が経過すると、番組の録画はできなくなるため、過去番組表RLの該当するチャンネルの番組欄は空欄となる。
【００４８】
図５は、電子番組表EPGの表示例を示す図である。図５は、地デジ放送の電子番組表EPGの例である。電子番組表EPGは、横軸が、視聴及び録画予約機能の対象チャンネルであり、縦軸が、放送時刻である。横軸に沿って表示されたチャンネルは、視聴及び録画機能のために、受信契約が締結されたチャンネルである。図５の６つの地デジのチャンネルは、ICカードC1を使用して受信契約がされているチャンネルである。
【００４９】
図５に示すように、電子番組表EPGは、表示している番組表が現在放送されている及び将来に放送される番組の番組表である電子番組表EPGであることを示す番組表種別表示部４１と、画面上に表示されている番組の放送時間帯の属する日付を示す日付表示部４２と、番組欄表示部４３と、コマンド表示部４４を含む。
【００５０】
番組表種別表示部４１は、表示されている番組表が、地デジの電子番組表EPGであることを示す「地上デジタル番組表」の文字を含んでいる。
【００５１】
日付表示部４２は、番組欄表示部４３に表示されている複数の番組名が放送される日付を示す文字を含んでいる。
【００５２】
番組欄表示部４３は、縦軸の時間経過に沿って、チャンネル毎に番組名を含む番組欄を表示する。図５の場合、６つのチャンネルの、日付表示部４２に表示された日付の午後７時から１０時迄に放送される複数の番組名、番組詳細内容などが、番組欄表示部４３の番組毎に表示されている。
【００５３】
コマンド表示部４４は、翌日の番組表を表示するためのリモコン上のボタンの機能を示すボタン機能指示部４４ａ、マルチ表示のためのリモコン上のボタンの機能を示すボタン機能指示部４４ｂ、チャンネル毎の番組名表示ためのリモコン上のボタンの機能を示すボタン機能指示部４４ｃ、一発予約指示のためのリモコン上のボタンの機能を示すボタン機能指示部４４ｄ、現在の番組表を表示するためのリモコン上のボタンの機能を示すボタン機能指示部４４ｅ、ページ切換のためのリモコン上のボタンの機能を示すボタン機能指示部４４ｆ、及びサブメニュー表示指示のためのリモコン上のボタンの機能を示すボタン機能指示部４４ｇを含んでいる。ユーザが、各ボタン機能指示部に示されたリモコン上のボタンを押すと、対応する機能が実行される。
【００５４】
図３に戻り、S2及びS3で表示される番組表は、それぞれ図４及び図５の番組表である。
【００５５】
S2又はS3の処理後、制御部１１は、番組選択処理を実行する（S4）。番組選択処理は、ユーザが、リモコンを操作して、表示されている番組表中の所望の番組にカーソルを移動させることによって、所望の番組を選択することができるようにする処理である。
【００５６】
過去番組表RLの場合、図４において斜線で示すように、選択された番組SP1が他の番組と区別できるように強調表示され、番組SP1が選択されていることが示される。電子番組表EPGの場合、図５において斜線で示すように、選択された番組SP2が他の番組と区別できるように表示され、番組SP2が選択されていることが示される。
【００５７】
よって、S4で選択された番組に対して、ユーザは、リモコンにおいて所定の操作をすることにより、図４の過去番組表RLの場合であれば、選択された番組の再生をすることができ、図５の電子番組表EPGの場合であれば、選択された番組の視聴あるいは録画予約をすることができる。
【００５８】
S4の処理後、制御部１１は、過去番組表RLが表示され、かつ過去番組表RL中のある番組が選択された状態で、ICカードCの識別情報表示ボタンであるカードID表示ボタンがオンされたか否かを判定する（S5）。すなわち、カードIDの画面表示指示のためのリモコン上のボタン機能指示部３４ｃに対応するリモコン上のボタン（ここでは、「画面表示」ボタン）が操作すなわち押下されたか否かが判定される。
【００５９】
ボタン機能指示部３４ｃに対応するリモコン上のボタンが操作されなければ（S5:NO）、処理は、S8へ移行する。  
ボタン機能指示部３４ｃに対応するリモコン上のボタンが操作されると（S5:YES）、制御部１１は、選択されている番組を受信するために使用されているICカードCをチェックする（S6）。すなわち、ICカードCに記憶された情報に基づいて、３枚のICカードC1からC3のいずれのICカードCが、選択されている番組を受信するために使用されているか、が判定される。  
そして、制御部１１は、判定されたICカードCに記録された識別情報を読み出して、テレビの画面上に識別情報を表示する（S7）。すなわち、S7の処理が、録画リストである過去番組表RL中で選択されている番組を受信するための使用されているICカードC1からC3のいずれかに記憶された、選択されている番組についての契約に必要な情報を表示する情報表示部を構成する。特に、ここでは、S5の処理に応じて、すなわち所定の表示指示入力に応じて、選択されている番組についての契約に必要な情報が表示される。
【００６０】
図６は、過去番組表RL におけるICカードCの識別情報の表示例を示す図である。ICカードCの識別情報は、過去番組表RL上に重畳するように表示される別のウインドウ５１内に示される。図６の場合、ポップアップして過去番組表RL上に重畳するように表示された矩形のウインドウ５１は、表示内容説明部５２と、識別情報表示部５３とを含んでいる。
【００６１】
表示内容説明部５２は、選択された番組が全番組録画機能により録画されたもので、その番組の受信のために使用されたICカードがどのICカードであるかを示すメッセージを含んでいる。
【００６２】
具体的には、図６の場合、表示内容説明部５２は、３枚のICカードCの中の「CASカード」が、選択された番組のチャンネルの全番組録画のために使用されている旨のメッセージを含んでいる。さらに、識別情報表示部５３は、そのICカード（「B-CASカード」）の識別情報すなわちカードIDは、「0000 XXXX 0000 1234 XXXX」であることを示している。なお、このウインドウ５１は、ユーザがカーソルを移動して「了解」ボタン５４をクリックすることにより、閉じられる。
【００６３】
S7で識別情報を表示した後、処理は、S8へ移行する。S8では、表示されている過去番組表RLあるいは電子番組表EPGの表示終了の指示がされたか否かが判定される。
【００６４】
過去番組表RLあるいは電子番組表EPGの表示終了の指示がされなければ（S8:NO）、処理は、S4へ戻る。過去番組表RLあるいは電子番組表EPGの表示終了の指示がされると（S8:YES)、処理は終了する。
【００６５】
以上のように、本実施の形態によれば、過去番組表RLが表示されているときに、番組を選択した状態で、ユーザが、所定の操作を行うと、その選択された番組を受信するために使用されているICカードCに記憶されている、その番組を受信するための契約に必要な情報が画面上に表示される。
【００６６】
例えば、図６の場合、左端のチャンネルの番組SP1が選択されている。よって、ウインドウ５１には、左端のチャンネルの番組SP1は、ICカードC2を使用して受信契約がされているチャンネルの番組であるので、ICカードC2の識別情報が、表示される。
【００６７】
もしも、図４の右端のチャンネルの番組が選択されていれば、ウインドウ５１には、右端のチャンネルの番組は、ICカードC1を使用して受信契約がされているチャンネルの番組であるので、ICカードC1の識別情報が、表示される。もしも、図４の右端から２番目のチャンネルの番組が選択されていれば、ウインドウ５１には、右端から２番目のチャンネルの番組は、ICカードC3を使用して受信契約がされているチャンネルの番組であるので、ICカードC3の識別情報が、表示される。
【００６８】
よって、ユーザは、全番組録画機能用として使用されているICカードの識別情報を容易に確認することができる。
【００６９】
なお、上述した有料放送の無料受信期間の経過後、ユーザが有料チャンネルの契約をしたい場合、過去番組表RLから、空欄表示となった番組欄を選択して、上記のリモコン上の所定のボタン（ここでは、「画面表示」ボタン）を操作すなわち押下すると、その無料受信期間時に設定した全番組録画機能の対象チャンネルの受信時に使用したICカードCの識別情報が表示されるので、ユーザは、使用されているICカードの識別情報を容易に確認することができ、受信契約を簡単に結ぶことができる。その結果、ユーザは、契約締結後、その有料チャンネルの全番組録画を行うことができる。
【００７０】
次に変形例を説明する。  
上述した実施形態では、ICカードC1の識別情報は、所定の操作（上述の例では、所定のボタンの押下）がされると、選択されている番組を受信するためICカードCの識別情報が、ポップアップ表示されたウインドウに表示されているが、選択された番組の欄の中に、ICカードCの識別情報が表示するようにしてもよい。
【００７１】
図７は、選択された番組の欄の中にICカードCの識別情報を表示する過去番組表RLの表示例を示す図である。ユーザが、過去番組表RL中の番組を選択すると、所定の操作（所定のボタンの押下など）をしなくても、その選択された番組を受信するためICカードCの識別情報が、その選択された番組欄の中に表示される。
【００７２】
図７に示すように、右端の番組SP3が選択された状態であり、右端のチャンネルの番組SP3は、ICカードC1を使用して受信されている有料チャンネルの番組である。なお、番組SP3の欄は黒抜きで示され、有料チャンネル未契約で録画がされていなかったことを示している。よって、ICカードC1の識別情報およびカスタマーセンターの連絡先の情報が、選択された番組欄SP3にある表示スペース６１に表示される。
【００７３】
なお、図７のように、ICカードCの識別情報を選択された番組名の欄の中に表示するのではなく、別のウインドウ中に、表示するようにしてもよい。
【００７４】
図８は、選択された番組を受信するためICカードCの識別情報を、別のウインドウ中に表示する表示例を示す図である。ユーザが、過去番組表RL中の番組を選択すると、その選択された番組を受信するためICカードCの識別情報が、別のウインドウである表示スペース６１の中に表示されている。
【００７５】
図８に示すように、右端の番組SP3が選択された状態であり、右端のチャンネルの番組は、ICカードC1を使用して受信契約がされているチャンネルの番組であるが、ICカードC1の識別情報は、所定の操作（所定のボタンの押下など）がされなくても、別のウインドウである表示スペース６１の中に表示される。
【００７６】
図９は、図７及び図８の表示例に関わる、番組録画装置１に装着されたICカードCの識別情報を表示する処理の流れの例を示すフローチャートである。図９の処理も、制御部１１のCPUが、ROMに記憶された所定のプログラムを読み出して実行することによって、行われる。図９において、図３と同じ処理については、同じステップ番号を付して、説明は省略する。
【００７７】
図９の場合、S1からS4の処理の後、S6の処理が実行される。なお、図７の表示例の場合は、S4の処理を省略して、番組選択無しで識別情報等を表示してもよい。S6の後、制御部１１は、選択されている番組のチャンネルは有料チャンネルか否かを判定する（S11）。選択されている番組のチャンネルが有料チャンネルであるとき（S11:YES）、そのチャンネルが未契約であるか否かが判定される（S12）。選択されている番組のチャンネルが未契約であるとき（S12:YES）、制御部１１は、識別情報（カードID）及びカスタマーセンターの連絡先を表示スペース６１中に表示する（S13）。
【００７８】
また、選択されている番組のチャンネルは有料チャンネルでないとき（S11:NO）、及び選択されている番組のチャンネルが契約済みであるとき（S12:NO）、制御部１１は、識別情報（カードID）を表示スペース６１中に表示する（S14）。  
S13及びS14の処理の後、S8の処理が実行される。
【００７９】
よって、図７から図９で示した本変形例においても、ユーザは、全番組録画機能用として使用されているICカードの識別情報を容易に確認することができる。すなわち、S4、S6及びS11の処理が、録画リストである過去番組表RL中の番組選択状態に応じて、選択されている番組についての契約に必要な情報を表示する情報表示部を構成する。
【００８０】
なお、図７と図８では、その番組の契約に関わるカスタマーセンターの連絡先の情報として、電話番号も、ICカードCの識別情報と共に、その選択された番組名の欄の中あるいはウインドウ６１の中に表示されている。よって、ユーザは、簡単にカスタマーセンターへの連絡をとることができる。
【００８１】
このようなカスタマーセンターの連絡先の情報の表示は、上述した実施形態のウインドウ５１中に、表示するようにしてもよい。
【００８２】
また、上述した実施形態及び変形例では、過去番組表RL中の番組を選択することにより、その番組の受信に使用されているICカードCの識別情報が表示されるが、番組を選択しなくても、各チャンネルの受信に使用されているICカードCを識別できるように、過去番組表RL及び電子番組表EPGを表示するようにしてもよい。
【００８３】
図１０は、過去番組表RLの表示例の変形例を示す図である。図１０の過去番組表RLは、図４の過去番組表に対応するものであり、横軸のチャンネル表示部７１には、複数（ここでは６つ）のチャンネル情報表示部７１ａ〜７１ｆが表示されている。
【００８４】
各チャンネル情報表示部には、地デジ、BS、CSの放送の種類と、チャンネル名、チャンネル番号が含まれている。例えば、左端のチャンネル情報表示部７１ａには、放送が「地デジ」であり、チャンネル名が「NH・・・」であり、チャンネル番号が「０１１」であることが示されている。なお、各チャンネル情報表示部には、アイコンなどが表示されるようにしてもよい。
【００８５】
ここでは、ICカードC毎に予め色が設定されており、各チャンネル情報表示部は、その設定された色が付加されて、表示される。
【００８６】
例えば、図１０においては、左側の３つの地デジのチャンネルが、全番組録画機能専用のICカードC2を使用して受信契約がされているチャンネルであり、中央の２つのBSのチャンネルが、全番組録画機能専用のICカードC3を使用して受信契約がされているチャンネルであり、右側の１つのBSのチャンネルが、全番組録画機能用にも使用できるICカードC1を使用して受信契約がされているチャンネルである。
【００８７】
よって、チャンネル表示部７１の左側の３つのチャンネル情報表示部７１ａから７１ｃは、所定の第１の色（図１０では、斜めの斜線で示す）が背景色として付加されて表示される。チャンネル表示部７１の中央の２つのチャンネル情報表示部７１ｄ、７１ｅは、所定の第２の色（図１０では、横の縞模様で示す）が背景色として付加されて表示される。チャンネル表示部７１の右側の１つのチャンネル情報表示部７１ｆは、所定の第３の色（図１０では、格子模様で示す）が背景色として付加されて表示される。
【００８８】
なお、色の付加は、番組欄に対して行うようにしてもよい。  
色の付加処理は、制御部１１のCPUにより行われるので、そのCPUを含む制御部１１が、録画リストである過去番組表RLにおいて、各番組の受信のために使用されている記憶媒体であるICカード毎に割り当てられた色を付加して、各番組あるいは各番組のチャンネルを表示する録画リスト表示部を構成する。
【００８９】
色分けは、制御部１１が予め決められた複数の色を、複数のI/F１４のスロットのそれぞれに順番に割り当てるようにしてもよいし、ユーザがスロット２３ａから２３ｃの各スロットに装着されるICカードC毎に設定してもよい。設定された色の情報は、制御部１１のフラッシュメモリに記憶される。
【００９０】
このように設定された色の情報を用いて、他の画面表示のときにも、色別表示を行うようにすることもできる。  
図１１は、ICカードCの動作状態を確認するための画面の表示例である。図１１に示すような動作状態確認画面７１は、番組録画装置１の購入後に最初に設定される処理等において表示される画面である。図１１の動作状態確認画面７１は、各カード挿入口に装着されたICカードCの動作状態が、「正常」であることを示すとともに、各カードに対応する色表示部７２を表示する。色表示部７２は、前面パネル２１の右上のカード挿入口２３ａに装着されたICカードC1は、所定の第３の色（図１０と同じように格子模様で示す）であり、前面パネル２１の左のカード挿入口２３ｃに装着されたICカードC3は、所定の第２の色（図１０と同じように横の縞模様で示す）であり、前面パネル２１の右下のカード挿入口２３ｂに装着されたICカードC2は、所定の第１の色（図１０と同じように斜めの斜線で示す）であることを示している。
【００９１】
図１１の色の付加処理も、制御部１１のCPUにより行われるので、そのCPUを含む制御部１１が、記憶媒体である各ICカードCの動作を確認するための動作状態確認画面において、各ICカードCに割り当てられた色を表示する色表示部７２を表示するための出力を行う色表示部出力部を構成する。
【００９２】
よって、ユーザは、各ICカードCの色を、図１１の動作状態確認画面７１においても、確認することができる。
【００９３】
また、全番組録画機能設定画面においても、設定された各チャンネルがどのICカードC1を使用して受信契約がされているかを、色では容易に認識できるように、色表示部を設けるようにしてもよい。
【００９４】
図１２は、全番組録画機能設定画面の表示例である。図１２に示すような全番組録画機能設定画面８１は、ユーザが、全番組録画機能のために使用するチャンネルを設定するときに使用される設定画面である。
【００９５】
図１２では、６つのチャンネルが全番組録画機能のために設定されており、２つのチャンネルが未設定であることを示すと共に、各チャンネルに対応する色表示部８２を表示する。色表示部８２は、上側の第１から第３のチャンネルは、所定の第１の色（図１０と同じように斜めの斜線で示す）であり、中程の第４と第５のチャンネルは、所定の第３の色（図１０と同じように格子模様で示す）であり、第６のチャンネルは、所定の第２の色（図１０と同じように横の縞模様で示す）であることを示している。
【００９６】
図１２の色の付加処理も、制御部１１のCPUにより行われるので、そのCPUを含む制御部１１が、全番組録画機能により録画する番組のチャンネルを設定する全番組録画機能設定画面において、チャンネル毎に、割り当てられた色を表示する色表示部８２を表示するための出力を行う色表示部出力部を構成する。
【００９７】
よって、ユーザは、各チャンネルが、どのICカードCを使用して受信契約されているのかを容易に認識して確認することができる。
【００９８】
なお、上述した例では、過去番組表RLが表示され、ある番組が選択されている状態で、カードIDの画面表示指示のためのリモコン上のボタン機能指示部３４ｃに対応するリモコン上のボタンが操作されると、図６に示すような、ICカードCの識別情報を含むウインドウ５１が表示されるが、電子番組表EPGにおいても、同様の表示を行うようにしてもよい。
【００９９】
すなわち、図５の電子番組表EPG上に、カードIDの画面表示指示のためのリモコン上のボタン機能指示部を設け、電子番組表EPGが表示され、ある番組が選択されている状態で、カードIDの画面表示指示のためのリモコン上の所定のボタンが操作されると、図６に示すような、ICカードCの識別情報を含むウインドウ５１が表示されるようにしてもよい。そのようにすれば、無料放送であるか有料放送であるかに関わらず、ICカードCの識別情報が表示される。
【０１００】
以上のように、上述した実施形態によれば、全番組録画機能用として使用されているICカードの受信契約に必要な識別情報をユーザが容易に確認することができる番組録画装置及び受信契約用識別情報表示方法を提供することができる。
【０１０１】
従来は、一台のデジタル放送受信装置に複数のICカードが装着可能で、かつ複数のICカードを全番組録画用として使用可能な場合、ユーザは、どのICカードが、全番組録画用のどのチャンネルの番組受信用として使用されているのか、を確認するためには、契約時に使用したICカードをデジタル放送受信装置から抜き取ってICカードを見ただけで、判断することはできない。さらに、所定のメニュー画面を表示させて所定の操作を行うことによって表示装置の画面上に各ICカードの識別情報を表示させて確認する場合も、煩雑な作業あるいは操作が必要となる。
【０１０２】
しかし、上述した実施形態の放送受信装置によれば、複数のICカードを全番組録画機能用に使用したときに、ユーザは、どのチャンネルの番組受信にどのICカードが使用されているかを容易に確認でき、かつ新たな受信契約を結ぶ、あるいは契約を解約する場合も、ユーザは、識別番号を間違えずに、ICカードの識別情報を、放送事業者に通知することができる。
【０１０３】
なお、上述した実施形態では、番組録画装置の例として、ハードディスクレコーダを挙げて説明したが、テレビ自体が所謂タイムシフト機能を有しているものもあるので、本実施形態の番組録画装置は、テレビ等でもよい。
【０１０４】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１０５】
１  番組録画装置、１１  制御部、１２  チューナ、１３  画像処理部、１４，１４ａ、１４ｂ、１４ｃ  カードインターフェース部、１５  記憶装置、１６  ディスクドライブ装置、１７  リモコン受信部、２１  前面パネル、２２  カバー、２３  、２３ａ、２３ｂ、２３ｃ  カードスロット、２４  USB端子部、２５  SDカードスロット。
【図１】
2014220691.tif 000003
【図２】
2014220691.tif 000004
【図３】
2014220691.tif 000005
【図４】
2014220691.tif 000006
【図５】
2014220691.tif 000007
【図６】
2014220691.tif 000008
【図７】
2014220691.tif 000009
【図８】
2014220691.tif 000010
【図９】
2014220691.tif 000011
【図１０】
2014220691.tif 000012
【図１１】
2014220691.tif 000013
【図１２】
2014220691.tif 000014